(57)【特許請求の範囲】
【請求項１】
外郭をなす略方形状の外枠と、
該外枠に対し前方に揺動開閉可能とされた略方形状の前枠と、
該前枠に保持され、入賞口が設けられた遊技領域を有して遊技球の流下による遊技を実現する遊技盤と、
前記前枠に取り付けられて、前記外枠に対し前方に揺動開閉可能とされた裏セット盤と、
該裏セット盤に対して所定の着脱方向に沿って取り付けられ、前記入賞口への入賞に基づき遊技球の払出しを行う球払出装置と、
前記裏セット盤に軸支部において軸支されてその後方に配置され、前記裏セット盤に対して後方に揺動開閉可能とされた裏セットカバーと、
該裏セットカバーの一部に形成され、該裏セットカバーの閉鎖時に前記球払出装置の前記所定の着脱方向の移動を規制することにより、前記球払出装置の前記裏セット盤からの取外しを阻止する規制部と、を有する遊技機であって、
前記裏セットカバー及び前記裏セット盤の少なくともいずれか一方が、
前記裏セット盤に対する前記裏セットカバーの後方開放が前記所定角度以上である場合に、前記裏セットカバーの前記裏セット盤への軸支状態の解除を許容し、前記裏セット盤に対する前記裏セットカバーの後方開放が前記所定角度未満である場合に、前記裏セットカバーの前記裏セット盤への軸支状態の解除を禁止するロック構造を有し、
前記裏セット盤に対する前記裏セットカバーの後方開放が前記所定角度未満である場合に、前記規制部が前記球払出装置の前記所定の着脱方向の移動を規制することにより、前記球払出装置の前記裏セット盤からの取外しを阻止し、
前記規制部は、前記裏セットカバーと一体成形された突設部であって、前記裏セットカバーの閉鎖状態において前記球払出装置の後方に位置して前記球払出装置の後方への取外し方向の移動を阻止し、
前記ロック構造は、
前記軸支部において、該軸支部を構成する軸受部の上方であって前記裏セット盤に部分的に突出するように形成された突部が、前記裏セットカバーの後方開放が前記所定角度未満である場合に、前記軸支部を構成する軸部の上方に位置して該軸部の上方移動を規制する、遊技機。
【発明の詳細な説明】
【技術分野】
【０００１】
本発明は、遊技機に関する。
【背景技術】
【０００２】
弾球遊技機の一例であるパチンコ機は、多数本の遊技釘や風車とともに種々の入賞具が所定のゲージ設定で配設された遊技盤を有しており、球払出装置は遊技盤における入賞状態等に基づいて出力される指令信号を受けてその信号に応じた数量の遊技球を払い出すようになっている。このようなパチンコ機に用いられる球払出装置は、一般に、装置の上面に遊技球を受容する受容口と下面に遊技球を払い出す払出口とが設けられるとともに、装置内部に球払出モータとこの球払出モータによって垂直面内で回転駆動される球送り部材とを有し、受容口から受容通路を通って球送り部材に導かれる遊技球を球送り部材の外周に形成された球受容部に受容し、球送り部材が回転されたときにその遊技球を当該回転方向移動させて、移動方向に形成された払出通路に流下させて払出通路下端の払出口から払い出すように構成されている（例えば、特許文献１，２を参照）。
【０００３】
このような球払出装置の作動は、例えば球払出制御基板等の制御装置によって制御され、入賞条件に基づいた回転角度の指令信号が球払出装置に入力され、この指令信号に応じた回転角度分球払出モータを回転作動させて遊技球を払い出すようになっている。球払出モータの回転停止角度位置は、球送り部材の球受容部が受容通路に対峙して球受容部に遊技球を受容した状態で停止するように設定されている。
【先行技術文献】
【特許文献】
【０００４】
【特許文献１】特開２００５−１２４６９４号公報
【特許文献２】特開２００２−３０６８１１号公報
【発明の概要】
【発明が解決しようとする課題】
【０００５】
球払出装置は、遊技球を払い出すための装置であるため、球払出装置に対する不正行為は、遊技者の不正な利益、パチンコホール側の不測の不利益に直結する。例えば、球払出装置が不正に取り外されると、島設備からの遊技球を貯留する球タンクから球皿へと遊技球が多量に排出され、パチンコホールが不測の不利益を被ってしまうという問題がある。そのため、球払出装置への不正行為に対する対策は重要である。
【０００６】
本発明は、上記の事情に鑑みて為されたもので、球払出装置に対する不正防止効果を更に高めることができ、パチンコホールの不測の不利益を防止することのできる遊技機を提供することを例示的課題とする。
【課題を解決するための手段】
【０００７】
上記の課題を解決するために、本発明の例示的側面としての遊技機は、入賞口が設けられた遊技領域を有し、遊技球の流下による遊技を実現する遊技盤と、遊技盤の上下方及び左右側方を囲む外枠と、外枠に対し前方に揺動開閉可能とされた裏セット盤と、裏セット盤に対して所定の着脱方向に沿って取り付けられ、入賞口への入賞に基づき遊技球の払出しを行う球払出装置と、裏セット盤に軸支されてその後方に配置され、裏セット盤に対して後方に揺動開閉可能とされた裏セットカバーと、裏セットカバーの一部に形成され、裏セットカバーの閉鎖時に球払出装置の所定の着脱方向の移動を規制することにより、球払出装置の裏セット盤からの取外しを阻止する規制部と、を有する。
【０００８】
本発明の更なる目的又はその他の特徴は、以下添付図面を参照して説明される好ましい実施の形態によって明らかにされるであろう。
【発明の効果】
【０００９】
本発明によれば、球払出装置に対する不正防止効果を更に高めることができ、パチンコホールの不測の不利益を防止することのできる遊技機を提供することができる。
【図面の簡単な説明】
【００１０】
【図１】本発明に係る弾球遊技機の一例であるパチンコ機の正面図である。
【図２】上記パチンコ機を構成する裏セット盤の背面図である。
【図３】上記パチンコ機を構成する裏セット盤の平面図である。
【図４】上記パチンコ機（ただし前枠を除く）の背面斜視図である。
【図５】上記裏セット盤に取り付けられる球払出装置の斜視図である。
【図６】上記球払出装置の正面図である。
【図７】上記球払出装置の平面図、左側面図及び底面図である。
【図８】上記球払出装置を図７の矢印ＶＩＩＩ‐ＶＩＩＩに沿って切断して示す断面図である。
【図９】上記球払出装置を図７の矢印ＩＸ‐ＩＸに沿って切断して示す断面図である。
【図１０】図４における要部拡大図である。
【図１１】上記裏セット盤を図３の矢印ＸＩＩＩ‐ＸＩＩＩに沿って切断して示す断面図における要部拡大図である。
【図１２】上記球払出装置が裏セット盤に取り付けられた状態を示す図２における要部拡大図である。
【図１３】上記裏セット盤を図３の矢印ＸＩＩＩ‐ＸＩＩＩに沿って切断して示す断面図である。
【図１４】上記裏セット盤を図３の矢印ＸＩＶ‐ＸＩＶに沿って切断して示す断面図である。
【図１５】上記球払出装置を球抜き状態において図７の矢印ＶＩＩＩ‐ＶＩＩＩに沿って切断して示す断面図である。
【図１６】上記球払出装置の着脱構造の第２実施形態を示す斜視図である。
【図１７】上記第２実施形態における着脱様態ついて説明する図である。
【図１８】上記球払出装置の着脱構造の第３実施形態を示す斜視図である。
【図１９】上記第３実施形態におけるガイド壁の変形例を示す底面図である。
【図２０】上記球払出装置の着脱構造の第４実施形態を示す斜視図である。
【図２１】上記球払出装置の着脱構造の第５実施形態を示す斜視図である。
【図２２】上記球払出装置の着脱構造の第６実施形態を示す側面図である。
【図２３】上記球払出装置の変形例を示す左側面図である。
【図２４】不正防止構造Ａを有したパチンコ機を後方から斜めに矢視した後方斜視図である。
【図２５】裏セットカバー、軸支部、規制部、及び球払出装置の位置関係を説明する模式図である。
【図２６】不正防止構造Ａの他の例を示す模式図である。
【図２７】不正防止構造Ａの更に他の例を示す模式図である。
【図２８Ａ】裏セットカバーの軸支部の拡大図であって、裏セットカバーの後方開放角度が所定角度未満の状態を示す図である。
【図２８Ｂ】裏セットカバーの軸支部の拡大図であって、裏セットカバーの後方開放角度が所定角度以上の状態を示す図である。
【図２９】不正防止構造Ｂを有したパチンコ機を上方から見た様子を模式的に示した模式平面図である。
【図３０】不正防止構造Ｂを有したパチンコ機後方から見た斜視図であって、外枠に対して前枠を前方開放した状態を示す図である。
【図３１】不正防止構造Ｂの他の例を示す模式図である。
【実施するための形態】
【００１１】
［実施形態１］
＜パチンコ機ＰＭの説明＞
以下、本発明に係る実施形態１について説明する。まず、本発明に係る弾球遊技機の一例であるパチンコ機ＰＭについて、図１〜図４を参照して説明する。
【００１２】
パチンコ機ＰＭは、図１に示すように、外郭方形枠サイズに構成された縦向きの固定保持枠をなす外枠１の開口前面に、これに合わせた方形枠サイズに構成されて開閉搭載枠をなす前枠２が互いの正面左側縁部に配設された上下のヒンジ機構３ａ，３ｂにより横開き開閉及び着脱が可能に取り付けられ、正面右側縁部に設けられたダブル錠と称される施錠装置４を利用して常には外枠１と係合連結された閉鎖状態に保持される。外枠１は、後述する遊技盤１０の上下方及び左右側方を囲むように構成されている。
【００１３】
前枠２の前面側上部には、前枠２の上部前面域に合わせた方形状のガラス扉５が正面左側部に設けられたヒンジ機構７ａ，７ｂを利用して横開き開閉及び着脱可能に組み付けられ、施錠装置４を利用して常には前枠２の前面を覆う閉鎖状態に保持される。ガラス扉５の背後に位置する前枠上部には、遊技盤１０を着脱可能に収容する収容枠（図示せず）が設けられており、この収容枠に遊技盤１０が着脱可能にセット保持され、常には閉鎖保持されるガラス扉５を通して遊技盤１０の正面の遊技領域を臨ませるようになっている。
【００１４】
図１では遊技盤１０の図示を省略するが、遊技盤１０の前面には上下のレール飾りに囲まれて略円形の遊技領域が区画形成され、この遊技領域に多数本の遊技釘とともに風車や各種入賞具、遊技の進行状況に応じて所定の画像が表示される画像表示装置などの遊技構成部品が取り付けられて遊技球の流下による遊技を実現しており、遊技領域の下端部に入賞具に入賞せずに落下した遊技球を遊技盤１０の裏面側に排出させるアウト口が設けられている。
【００１５】
前枠２の前面側下部には、前枠２の下部前面領域に合わせた方形状の球皿ユニット６が正面左側部に設けられたヒンジ機構７ｂ，７ｃを利用して横開き開閉及び着脱可能に組み付けられ、施錠装置４を利用して常には前枠２の前面を覆う閉鎖状態に保持される。球皿ユニット６の正面右側下部には遊技球の発射操作を行う操作ハンドル８が設けられている。球皿ユニット６に前面側が覆われた前枠２の下部領域には遊技補助盤（図示せず）と称される補助機構部が形成されており、この遊技補助盤の各部に、遊技盤１０の遊技領域に遊技球を発射する打球発射装置（図示せず）や、ファール球回収通路などが設けられている。
【００１６】
前枠２の裏面側には、図２〜４に示すように、中央に前後連通する窓口を有して前枠２よりもやや小型の方形枠状に形成された裏セット盤２０が着脱可能にセット保持されている。裏セット盤２０の各部には、遊技球を貯留する球貯留タンク２１、球貯留タンク２１から右方に緩やかな下り傾斜を有して延びるタンクレール２２、タンクレール２２の右端部に繋がり下方に延びる整列待機通路２３ａを内部に形成する上通路部材２３、上通路部材２３の下端部に繋がって設けられた球払出装置５０、球払出装置５０の下端部に繋がって設けられ球払出装置５０から払い出された遊技球を球皿ユニット６の球皿に導く球払出通路２５ａを内部に形成する下通路部材２５（図４を参照）などの賞球機構が設けられるとともに、裏面各部に電源基板アッセンブリ（図示せず）や主基板アッセンブリ（図示せず）等の各種制御基板アッセンブリが取り付けられている。
【００１７】
このように構成されるパチンコ機ＰＭでは、前枠２、ガラス扉５及び球皿ユニット６がともに閉止され施錠された状態で遊技に供され、球皿ユニット６に遊技球を貯留させて操作ハンドル８を回動操作することにより遊技が開始される。操作ハンドル８が回動操作されると、球皿ユニット６に貯留された遊技球が打球発射装置により１球ずつ遊技盤１０の遊技領域に打ち出され、以降パチンコゲームが展開される。
【００１８】
＜球払出装置５０の構造＞
以下、裏セット盤２０に着脱可能に取り付けられる球払出装置５０の構成及びその着脱構造について説明する。なお、以下では、球払出装置５０が裏セット盤２０に取り付けられた状態を基準とした方向、すなわち図５に示す各矢印の方向を前後、左右及び上下方向として説明する。
【００１９】
球払出装置５０は、図５〜７に示すように、縦長方形箱状のハウジング部材５１と、球送り部材６０と、球送り部材６０を回転駆動するための球払出モータ６５とを有して構成され、ハウジング部材５１の内部に球送り部材６０及び球払出モータ６５が設けられている。
【００２０】
ハウジング部材５１は、上面に上通路部材２３の下端部と接続されて上通路部材２３内の整列待機通路に整列された遊技球を受け入れる受容口５２が形成され、下面に下通路部材２５の上端部と接続されて下通路部材２５内の球払出通路へ遊技球を払い出す払出口５３が形成されるとともに、内部には受容口５２と払出口５３を繋ぐ案内通路５５が形成されている。また、ハウジング部材５１は、球送り部材６０の周部が案内通路５５内に突出した状態で球送り部材６０が案内通路５５に沿った方向に回転可能なように、球送り部材６０の回転軸を支持している。
【００２１】
ハウジング部材５１の下面には、図６等に示すように、上下断面視においてコ字状の前後方向に延びる左右一対のガイド溝９１が設けられている。また、ハウジング部材５１の下面には、左右一対のガイド溝９１の後端部を塞ぐようにして位置決め壁９２が設けられている。ハウジング部材５１の上面には、受容口５２の左右及び後方を囲むようにして上方に延びる平面視コ字状の被覆壁９３が設けられている。
【００２２】
案内通路５５は、図８に示すように、球送り部材６０よりも上流側（受容口５２側）の受容通路５６と、球送り部材６０よりも下流側（払出口５３側）の払出通路５７とによって構成される。受容通路５６は、上部屈曲部５６ａ及び下部屈曲部５６ｂを有して略Ｓ字状に形成されており、受容口５２から受容された遊技球を上部屈曲部５６ａを通った後に下部屈曲部５６ｂを通って球送り部材６０に導入（供給）させるように構成されている。ここで、受容通路５６は、下部屈曲部５６ｂを通って球送り部材６０に導入される遊技球が球送り部材６０に対して真上（鉛直上方）からではなく斜め上方から導入されるように、すなわち、球送り部材６０への遊技球の導入方向が球送り部材６０の回転接線方向に沿うように鉛直方向に対して斜めに設定（形成）されている。
【００２３】
払出通路５７は、受容通路５６（下部屈曲部５６ｂ）の下端部から屈曲して下方に延びるように形成されており、中間部に払出通路５７を流下する遊技球を検出する球検出センサ７５が設けられている。案内通路５５の球送り部材６０側（図８における右側）の通路壁には、球送り部材６０の周部を案内通路５５内に突出させた状態で配置させるため、球送り部材６０が設けられる位置において切欠き部５７ａが形成されており、その切欠き部５７ａの一部（下流側の略半分）に相当する壁面形状を有する案内リブ５８が、払出通路５７側の通路壁の上端部から切欠き部５７ａの一部を塞ぐ（覆う）ように延びて設けられている。なお、案内リブ５８の壁面高さは、球送り部材６０の回転を妨げないように、案内通路５５の通路壁の壁面高さよりも低くなっている（図９も参照）。
【００２４】
受容通路５６の中間部には球抜き機構７０が設けられている。球抜き機構７０は、受容通路５６の下部屈曲部５６ｂにおける球受け部材６０側（図８における右側）の通路壁の上部において形成された切欠き部５６ｃに相当する壁面形状を有し、ハウジング部材５１に揺動可能に支持されて切欠き部５６ｃを開閉可能な通路壁部材７１と、ハウジング部材５１に上下方向にスライド移動可能に支持された操作部材７２と、ハウジング部材５１の下面に形成された球抜き口５４と切欠き部５６ｃを繋ぐようにハウジング部材５１の内部に形成された球抜き通路５９とを有して構成される。
【００２５】
操作部材７２は、ハウジング部材５１に形成された開口部を介して外方からの操作により上下方向にスライド移動可能であり、操作部材７２を下方位置にスライド移動させたときには、操作部材７２の下部が通路壁部材７１に係合して通路壁部材７１が切欠き部５６ｃを閉鎖する閉鎖位置に通路壁部材７１を保持させるようになっている。一方、操作部材７２を上方位置にスライド移動させたときには、操作部材７２と通路壁部材７１の係合が解除され、通路壁部材７１が受容通路５６内の遊技球の圧力により揺動されて切欠き部５６ｃを開放する開放位置に通路壁部材７１を変移させるようになっている。
【００２６】
なお、ハウジング部材５１に形成された球抜き通路５９及び球抜き口５４は、球払出装置５０が裏セット盤２０に取り付けられた状態において、案内通路５５及び払出口５３よりも前方側に位置して形成されている。すなわち、球払出装置５０では、裏セット盤２０に取り付けられた状態において、案内通路５５及び払出口５３が前方側に設けられ、球抜き通路５９及び球抜き口５４が後方側に設けられている。
【００２７】
球送り部材６０は、ハウジング部材５１に案内通路５５に沿った方向に回転可能に支持された回転軸６１と、回転軸６１の外周面に９０度間隔で軸方向に延びて設けられた四つの受容壁６２とを有して構成され、回転軸６１の外周面において各々の受容壁６２により遊技球を受容可能な受容部６３が四カ所形成されている。上述の案内通路５５内に突出する球送り部材６０の周部とはこの受容部６３のことであり、球送り部材６０は、回転軸６１まわりに回転されたときに四つの受容部６３が順に案内通路５５内を通過するようになっている。
【００２８】
球払出モータ６５は、球送り部材６０を回転駆動するための電気モータ（例えばステッピングモータ）であり、この球払出モータ６５の回転駆動力は歯車機構８０によって球送り部材６０に伝達される。歯車機構８０は、図７に示すように、球払出モータ６５の出力軸に設けられた第１歯車８１と、球送り部材６０の回転軸６１に設けられ第１歯車８１と噛合された第２歯車８２とを有し、球払出モータ６５の回転駆動力を第１歯車８１及び第２歯車８２を介して球送り部材６０に伝達するように構成されている。
【００２９】
このように構成された球払出装置５０は、図４に示すように、裏セット盤２０の裏面右側縁部において、整列待機通路２３ａを形成する上通路部材２３の下端部と球払出通路２５ａ及び排出通路２５ｂを形成する下通路部材２５の上端部との間において後面側に開口して形成された取付空間内に後面側から着脱自在に取り付けられる。
【００３０】
＜球払出装置５０の着脱構造＞
次に、この着脱構造について説明する。図１０に示すように、下通路部材２５の上端部には、左右にそれぞれ突出して前後方向に延びる被ガイド部９５，９５が設けられている。また、下通路部材２５の上部後面には、上下方向に回動可能な下係止レバーＬ１が設けられている。上通路部材２３の下部後面には、上下方向にスライド移動可能な上係止レバーＬ２が設けられている。
【００３１】
球払出装置５０の裏セット盤２０への取付けは、まず、球払出装置５０に設けられたガイド溝９１に下通路部材２５の被ガイド部９５を挿入させて球払出装置５０を前方にスライド移動させる。そして、下通路部材２５の被ガイド部９５が球払出装置５０の位置決め壁９２に当接するまでスライド移動させると、球払出装置５０の受容口５２，払出口５３及び球抜き口５４と、整列待機通路２３ａ，球払出通路２５ａ及び排出通路２５ｂとがそれぞれ位置整合して接続された状態となる（図１１を参照）。このとき、球払出装置５０に設けられた被覆壁９３が、上通路部材２３の下面と球払出装置５０の上面との間に生じる隙間、すなわち整列待機通路２３ａと球払出装置５０の受容口５２との間に生じる隙間の左右及び後方を覆うようになっている。そして、図１２に示すように、下通路部材２５に設けられた下係止レバーＬ１を上方に回動させるとともに、上通路部材２３に設けられた上係止レバーＬ２を下方にスライド移動させて、各係止レバーＬ１，Ｌ２をそれぞれ球払出装置５０に係合させることで、球払出装置５０が裏セット盤２０に取り付けられる。
【００３２】
以上のように、本実施形態１に係る球払出装置５０では、下面に設けられた上下断面視コ字状のガイド溝９１に下通路部材２５の被ガイド部９５を挿入させて前方にスライド移動させることで、上下及び左右方向に位置決めされる。また、下通路部材２５の被ガイド部９５が球払出装置５０の位置決め壁９２に当接するまでスライド移動させることで、前後方向にも位置決めされる。そして、上下の係止レバーＬ１，Ｌ２をそれぞれ操作して球払出装置５０に係合させることで、球払出装置５０の取り外し方向（後方）への移動が規制され、裏セット盤２０への取付けが完了となる。このように球払出装置５０によれば、裏セット盤２０への取付けが容易であるとともに、各方向への位置決めも確実に行うことができる。また、裏セット盤２０からの取り外しも容易である。また、球払出装置５０に設けられた被覆壁９３が、整列待機通路２３ａと球払出装置５０の受容口５２との間に生じる隙間の左右及び後方を覆うようになっているため、この隙間に工具などを差し込む不正を防ぐことができる。
【００３３】
なお、上述の実施形態１では、球払出装置５０に上下断面視コ字状のガイド溝９１を設け、下通路部材２５に被ガイド部９５を設ける構成について説明したが、これとは逆に、球払出装置５０に被ガイド部９５を設け、下通路部材２５にガイド溝９１を設けるように構成してもよい。また、ガイド溝９１及び被ガイド部９５を、球払出装置５０の上面及び上通路部材２３に設けるようにしてもよく、その場合には、被覆壁９３を球払出装置５０の下面に設け、球払出装置５０の払出口５３と球払出通路２５ａとの間に生じる隙間の左右及び後方を覆うようにすることが好ましい。また、上述の実施形態１では、被ガイド部９５を下通路部材２５に設ける構成について説明したが、被ガイド部９５を裏セット盤２０に設けるようにしてもよい。
【００３４】
このように裏セット盤２０に取り付けられた球払出装置５０による遊技球の払出作動は、所定条件のもと球払出制御基板（図示せず）から出力される指令信号に基づいて行われる。以下においては、この払出作動について説明する。まず、整列待機通路２３ａから受容口５２を介して球払出装置５０内に供給された遊技球は、図８に示すように、案内通路５５の受容通路５６を通って球送り部材６０に達し、球送り部材６０の受容部６３内に受容された状態で球送り部材６０により払出通路５７へ流下しないように規制された待機状態となる。このとき、受容通路５６の上部屈曲部５６ａによって、上流側に位置する遊技球の自重による圧力が下流側で加重されて球送り部材６０に作用する圧力が過大な圧力にならないように当該圧力を低減させている。また、下部屈曲部５６ｂによって、球送り部材６０への遊技球の導入方向が球送り部材６０の回転接線方向に沿うように鉛直方向に対して斜めに設定されている。
【００３５】
なお、上通路部材２３内に形成される整列待機通路２３ａは、上述したように裏セット盤２０の裏面右側縁部に上下に延びて設けられており、図１３に示すように、整列待機通路２３ａの左右の通路壁の内面に、複数の凸状の突起部２３ｂが所定間隔で形成されるとともに、左右の通路壁において突起部２３ｂの配置が前記所定間隔の半分程度オフセットして形成されている。この複数の突起部２３ｂも、上流側に位置する遊技球の自重による圧力が下流側で加重されて過大な圧力とならないように当該圧力を低減させるために設けられている。
【００３６】
上記のように、受容通路５６を通って球送り部材６０に導入された遊技球が受容部６３内に受容された待機状態で、遊技盤１０の入賞具（図示せず）に遊技球が入賞すると、球払出制御基板（図示せず）は、球払出モータ６５を入賞条件に応じた回転角度（払い出される賞球数に相当する回転角度）分回転させる指令信号を出力し、球払出装置５０は、その指令信号に基づいて球払出モータ６５を回転作動させて歯車機構８０を介して球送り部材６０を図８における反時計回りに回転させる。
【００３７】
球送り部材６０が回転すると、受容部６３に受容されていた遊技球が受容壁６２によって下流側へ押圧されて払出通路５７へ送り出されるとともに、次の受容部６３に受容通路５６から導入される遊技球が受容される。払出通路５７へ送り出された遊技球は、払出通路５７を流下して払出口５３から球払出通路２５ａへ払い出され、球払出通路２５ａを流下して球皿ユニット６の上球皿又は下球皿に払い出される（図１４を参照）。
【００３８】
このとき、球送り部材６０の回転に伴って払出通路５７へ送り出された遊技球は、球送り部材６０の回転速度に応じた速度で払出通路５７へ送り出される。そのため、球送り部材６０の回転速度が大きい場合、送り出された遊技球が、払出通路５７の球送り部材６０とは反対側（図８に示す側）の通路壁（例えば、図８に示すＡ地点近傍）で球送り部材６０側へ跳ね返ることで、いわゆる球ガミなどの不具合が生じるという問題があったが、球払出装置５０では、案内リブ５８を設けることで、このような遊技球の跳ね返り（遊技球の暴れ）を防止して、遊技球を円滑に流下させるようになっている。
【００３９】
以降同様にして、受容通路５６に待機保持された遊技球は、球送り部材６０の回転に伴って１個ずつ球送り部材６０の受容部６３に受容され、この受容部６３の回転移動に伴って払出通路５７へ送り出され、払出通路５７を流下して払出口５３から球払出通路２５ａを介して球皿ユニット６の球皿に払い出される。そして、球送り部材６０は、球払出モータ６５への指令信号に応じた回転角度分回転され、これにより入賞条件に応じた数量の遊技球が賞球として球皿ユニット６の球皿に払い出される。
【００４０】
なお、いわゆるＣＲ機において球貸し操作が行われ、その操作信号がパチンコ機ＰＭに入力されたときにも、上述した遊技盤１０の入賞具に遊技球が入賞したときと同様にして、球払出装置５０による遊技球の払出作動が行われる。
【００４１】
また、指令信号に含まれる球払出モータ６５の回転角度は、払い出される遊技球の数量に対応した回転角度であるとともに、球払出モータ６５の回転作動を停止したときに、いずれかの受容部６３が受容通路５６から導入される遊技球を受容して遊技球の流下を規制するように設定されている。
【００４２】
また、払出通路５７を流下する遊技球は、球検出センサ７５によって検出されるようになっており、球検出センサ７５の検出信号は球払出制御基板（図示せず）に出力され、球払出制御基板は、その検出信号から払い出された遊技球の実数をカウントし、その計数値に基づいて球払出装置５０の作動をフィードバック制御するようになっている。これにより、正確な数量の遊技球が賞球又は貸し球として払い出され、公正な遊技を供することができる。
【００４３】
また、図８に示すように遊技球が受容通路５６において待機保持された状態で、球抜き機構７０の操作部材７２が操作されて上方位置にスライド移動されると、図１５に示すように、通路壁部材７１は上流側に位置する遊技球の圧力によって図１５における反時計回りに揺動され、受容通路５６の切欠き部５６ｃを開放する位置に変移する。そして、切欠き部５６ｃを通過した遊技球は、球抜き通路５９を流下して球抜き口５４から裏セット盤２０に設けられた排出通路２５ｂへ排出され、排出通路２５ｂを流下して遊技島の回収装置に排出される（図１３を参照）。
【００４４】
ここで、球払出装置５０では、裏セット盤２０に取り付けられた状態において、案内通路５５及び払出口５３が前方側に設けられるとともに、球抜き通路５９及び球抜き口５４が後方側に設けられている。そのため、例えば、球抜き機構７０の操作部材７２を上方位置にスライド移動させ、更に球払出装置５０の裏セット盤２０への取付け状態に不正な操作を加えたとしても、切欠き部５６ｃを通過して球抜き通路５９及び球抜き口５４から排出される遊技球は、パチンコ機ＰＭの後方に排出されるだけで、球払出通路２５ａを通って球皿ユニット６の球皿へ排出されることはなく、このような不正操作により遊技球が不正に取得されることを防止できる。
【００４５】
以上のように、本実施形態１に係る球払出装置５０によれば、案内通路５５が、受容通路５６の下部屈曲部５６ｂにおいて、球送り部材６０への遊技球の導入方向が球送り部材６０の回転接線方向に沿うように鉛直方向に対して斜めに形成されているので、球送り部材６０等に作用する遊技球の自重に基づく圧力が低減される。このため、最も大きな回転トルクが必要とされる回転起動時の起動トルクを減少させることができ、これにより、従来よりも小型のモータを用いることができ、装置の小型化が可能になる。
【００４６】
また、案内通路５５が、受容通路５６の下部屈曲部５６ｂにおいて、球送り部材６０への遊技球の導入方向が球送り部材６０の回転接線方向に沿うように鉛直方向に対して斜めに形成されているので、従来のように遊技球が球送り部材に略真上から導入される構成よりも、遊技球を球送り部材６０へ円滑に導入させることができる。このため、球送り部材６０を高速で回転させて短時間での遊技球の払出しを行う場合でも、球送り部材６０の高速回転に対応して遊技球を球送り部材６０へ導入させることができ、これにより遊技球を円滑に払い出すことができる。
【００４７】
［実施形態２］
次に、実施形態２に係る球払出装置１５０について説明する。この球払出装置１５０は、裏セット盤２０への着脱構造が上述の球払出装置５０と異なり、それ以外の構成については上述の球払出装置５０と同一構成である。そのため、上述の球払出装置５０と共通する構成については同一の符号を付してその説明を省略し、ここでは上述の球払出装置５０と異なる裏セット盤２０への着脱構造について説明する。
【００４８】
図１６に示すように、球払出装置１５０のハウジング部材１５１の上面には、上方に突出した係合突起１９１が設けられている。また、球払出装置１５０が取り付けられる位置の左方に位置する裏セット盤２０の壁面には、当該壁面に対して弾性力により左右方向に移動可能に支持された係止凸部１９５が設けられている。更に、下通路部材２５の上端部の左右にはそれぞれ前後方向に延びる左右一対のガイド壁１９３が設けられている。そして、図１７に示すように、球払出装置１５０のハウジング部材１５１の左側面には係止凸部１９５が挿入可能な係止凹部１９６が設けられており、上通路部材２５の下面には下方に開口して係合突起１９１が挿入可能な係合孔１９２が設けられている。
【００４９】
球払出装置１５０の裏セット盤２０への取付けは、まず、球払出装置１５０を下通路部材２５の上面を左右一対のガイド壁１９３の内面に沿って前方にスライド移動させて、球払出装置１５０を上通路部材２３の下方に位置させる（図１７(ａ)の状態）。そして、球払出装置１５０を持ち上げて球払出装置１５０に設けられた係合突起１９１を上通路部材２３に設けられた係合孔１９２に挿入させた状態において、裏セット盤２０に設けられた係止凸部１９５が弾性力により球払出装置１５０に設けられた係止凹部１９６に挿入され、これにより球払出装置１５０が下方へ移動しないように仮止めされて、球払出装置１５０が持ち上げられた状態が保持される（図１７(ｂ)の状態）。このとき、球払出装置１５０の受容口５２，払出口５３及び球抜き口５４と、整列待機通路２３ａ，球払出通路２５ａ及び排出通路２５ｂとがそれぞれ位置整合して接続された状態となる。またこのとき、下通路部材２５に設けられたガイド壁１９３，１９３が、球払出装置５０の下面と下通路部材２５の上面との間に生じる隙間、すなわち球払出装置５０の払出口５３及び球抜き口５４と球払出通路２５ａ及び排出通路２５ｂとの間に生じる隙間の左右を覆うようになっている。そして、下通路部材２５に設けられた下係止レバーＬ１を上方に回動させて球払出装置１５０に係合させることで、球払出装置１５０が裏セット盤２０に取り付けられる。
【００５０】
以上のように、本実施形態２に係る球払出装置１５０では、球払出装置１５０を上通路部材２３の下方に位置させた状態から、上面に設けられた係合突起１９１を上通路部材２３の係合孔１９２に挿入させることで、左右及び前後方向に位置決めされる。このとき、裏セット盤２０の係止凸部１９５が弾性力により球払出装置１５０の係止凹部１９６に挿入されることで、球払出装置１５０は持ち上げられた状態で仮止め保持される。そして、下係止レバーＬ１を回動操作して球払出装置１５０に係合させることで、球払出装置１５０の下方及び後方への移動が規制され、裏セット盤２０への取付けが完了となる。このように球払出装置１５０によれば、裏セット盤２０への取付けが容易であるとともに、各方向への位置決めも確実に行うことができる。また、球払出装置１５０が仮止め保持された状態から押し下げると、係止凸部１９５が曲面状になっているため係止凹部１９６の内面から球払出装置１５０から遠ざかる方向に力を受けて、係止凸部１９５と係止凹部１９６との係合状態が解除され、球払出装置１５０が裏セット盤２０から取り外される。このようにして裏セット盤２０からの取り外しも容易である。また、下通路部材２５に設けられたガイド壁１９３，１９３が、球払出装置５０の払出口５３及び球抜き口５４と球払出通路２５ａ及び排出通路２５ｂとの間に生じる隙間の左右を覆うようになっているため、この隙間に工具などを差し込む不正を防ぐことができる。
【００５１】
なお、上述の実施形態２では、球払出装置１５０に係合突起１９１を設け、上通路部材２３に係合孔１９２を設ける構成について説明したが、これとは逆に、球払出装置１５０に係合孔１９２を設け、上通路部材２３に係合突起１９１を設けるように構成してもよい。また、係合突起１９１又は係合孔１９２を、上通路部材２３ではなく裏セット盤２０に設けるようにしてもよい。また、上述の実施形態２では、裏セット盤２０に係止凸部１９５を設け、球払出装置１５０に係止凹部１９６を設ける構成について説明したが、これとは逆に、裏セット盤２０に係止凹部１９６を設け、球払出装置１５０に係止凸部１９５を設けるようにしてもよい。また、係止凸部１９５及び係止凹部１９６を設ける位置は、球払出装置１５０の左方に限らなく、球払出装置１５０の前方や右方でもよい。更に、上述の実施形態２では、ガイド壁１９３を下通路部材２５に設ける構成について説明したが、ガイド壁１９３を球払出装置１５０に設けるようにしてもよい。
【００５２】
［実施形態３］
次に、実施形態３に係る球払出装置２５０について説明する。この球払出装置２５０は、裏セット盤２０への着脱構造が上述の球払出装置５０と異なり、それ以外の構成については上述の球払出装置５０と同一構成である。そのため、上述の球払出装置５０と共通する構成については同一の符号を付してその説明を省略し、ここでは上述の球払出装置５０と異なる裏セット盤２０への着脱構造について説明する。
【００５３】
図１８に示すように、球払出装置２５０のハウジング部材２５１の上面には、受容口５２の左右及び後方を囲むようにして上方に延びる平面視コ字状の被覆壁２９３が設けられている。また、ハウジング部材２５１の下面には、払出口５３及び球抜き口５４の左右及び後方を囲むようにして下方に延びる底面視コ字状のガイド壁２９４が設けられている。
【００５４】
球払出装置２５０の裏セット盤２０への取付けは、まず、球払出装置２５０に設けられたガイド壁２９４の間に下通路部材２５の上部を挿入させて球払出装置２５０を前方にスライド移動させる。そして、ガイド壁２９４の内側前面が下通路部材２５の上部前面に当接するまでスライド移動させると、球払出装置２５０の受容口５２，払出口５３及び球抜き口５４と、整列待機通路２３ａ，球払出通路２５ａ及び排出通路２５ｂとがそれぞれ位置整合して接続された状態となる。このとき、球払出装置２５０に設けられた被覆壁２９３が、上通路部材２３の下面と球払出装置２５０の上面との間に生じる隙間、すなわち整列待機通路２３ａと球払出装置２５０の受容口５２との間に生じる隙間の左右及び後方を覆うようになっている。そして、下通路部材２５に設けられた下係止レバーＬ１を上方に回動させるとともに、上通路部材２３に設けられた上係止レバーＬ２を下方にスライド移動させて、各係止レバーＬ１，Ｌ２をそれぞれ球払出装置２５０に係合させることで、球払出装置２５０が裏セット盤２０に取り付けられる。
【００５５】
以上のように、本実施形態３に係る球払出装置２５０では、下面に設けられたガイド壁２９４の間に下通路部材２５を挿入させて前方にスライド移動させることで、上下、左右及び前後方向に位置決めされる。そして、上下の係止レバーＬ１，Ｌ２をそれぞれ操作して球払出装置２５０に係合させることで、球払出装置２５０の取外し方向（後方）への移動が規制され、裏セット盤２０への取付けが完了となる。このように球払出装置２５０によれば、裏セット盤２０への取付けが容易であるとともに、各方向への位置決めも確実に行うことができる。また、裏セット盤２０からの取り外しも容易である。また、球払出装置２５０に設けられた被覆壁２９３が、整列待機通路２３ａと球払出装置２５０の受容口５２との間に生じる隙間の左右及び後方を覆うようになっているため、この隙間に工具などを差し込む不正を防ぐことができる。
【００５６】
なお、上述の実施形態３において、図１９(ａ)に示すように、球払出装置２５０に設けられたガイド壁２９４の前端側を外方に拡がった形状にしてもよく、このようにすれば、ガイド壁２９４の間に下通路部材２５を挿入させることが容易になり、球払出装置２５０の裏セット盤２０への取付けがより容易になる。また、図１９(ｂ)に示すように、ガイド壁２９４の左右の内部幅Ｌ′を下通路部材２５の外部幅Ｌよりも大きくし（Ｌ′＞Ｌ）、ガイド壁２９４の左右内面にそれぞれ、下通路部材２５を挿入させて裏セット盤２０に取り付けられたときに下通路部材２５と係合して球払出装置２５０の左右のがたつきを防止する係合凸部２９５を設けるようにしてもよく、このようにしても、ガイド壁２９４の間に下通路部材２５を挿入させることが容易になり、球払出装置２５０の裏セット盤２０への取り付けがより容易になる。なお、被覆壁２９３及び上述の実施形態における被覆壁９３，ガイド壁１９３においても、前端側（もしくは後端側）を外方に拡がった形状、又は、左右内部幅を通路の外部幅よりも大きくし、内面にがたつき防止用の係合凸部を設けるようにしてもよい。
【００５７】
また、上述の実施形態３では、被覆壁２９３及びガイド壁２９４を球払出装置２５０に設ける構成について説明したが、被覆壁２９３を上通路部材２３に設け、ガイド壁２９４を下通路部材２５に設けるようにしてもよい。
【００５８】
［実施形態４］
次に、実施形態４に係る球払出装置３５０について説明する。この球払出装置３５０は、裏セット盤２０への着脱構造が上述の球払出装置５０と異なり、それ以外の構成については上述の球払出装置５０と同一構成である。そのため、上述の球払出装置５０と共通する構成については同一の符号を付してその説明を省略し、ここでは上述の球払出装置５０と異なる裏セット盤２０への着脱構造について説明する。
【００５９】
図２０に示すように、球払出装置３５０のハウジング部材３５１の左右の側面には、前後方向に延びる凸状の被ガイド部３９１がそれぞれ設けられている。また、球払出装置３５０が取り付けられる位置の左右に位置する裏セット盤２０の壁面には凹状のガイド溝３９２がそれぞれ設けられている。
【００６０】
球払出装置３５０の裏セット盤２０への取付けは、まず、裏セット盤２０に設けられたガイド溝３９２に球払出装置３５０に設けられた被ガイド部３９１を挿入させて球払出装置３５０を前方にスライド移動させる。なお、被ガイド部３９１は、後端側が他の部分よりも径が大きくなっており、被ガイド部３９１の挿入をさせ易くなっている。被ガイド部３９１の前端部がガイド溝３９２の前端部に当接するまでスライド移動させると、球払出装置３５０の受容口５２，払出口５３及び球抜き口５４と、整列待機通路２３ａ，球払出通路２５ａ及び排出通路２５ｂとがそれぞれ位置整合して接続された状態となる。そして、下通路部材２５に設けられた下係止レバーＬ１を上方に回動させるとともに、上通路部材２３に設けられた上係止レバーＬ２を下方にスライド移動させて、各係止レバーＬ１，Ｌ２をそれぞれ球払出装置３５０に係合させることで、球払出装置３５０が裏セット盤２０に取り付けられる。
【００６１】
以上のように、本実施形態４に係る球払出装置３５０では、左右側面に設けられた被ガイド部３９１を裏セット盤２０に設けられたガイド溝３９２に挿入させて前方にスライド移動させることで、上下、左右及び前後方向に位置決めされる。そして、上下の係止レバーＬ１，Ｌ２をそれぞれ操作して球払出装置３５０に係合させることで、球払出装置３５０の取り外し方向（後方）への移動が規制され、裏セット盤２０への取付けが完了となる。このように球払出装置３５０によれば、裏セット盤２０への取付けが容易であるとともに、各方向への位置決めも確実に行うことができる。また、裏セット盤２０からの取り外しも容易である。
【００６２】
なお、上述の実施形態４では、球払出装置３５０に凸状の被ガイド部３９１を設け、裏セット盤２０に凹状のガイド溝３９２を設ける構成について説明したが、これとは逆に、球払出装置３５０にガイド溝３９２を設け、裏セット盤２０に被ガイド部３９１を設けるようにしてもよい。また、上述の実施形態４において、球払出装置３５０又は上下の通路部材２３，２５に、上述の被覆壁を設けるようにしてもよい。
【００６３】
［実施形態５］
次に、実施形態５に係る球払出装置４５０について説明する。この球払出装置４５０は、裏セット盤２０への着脱構造が上述の球払出装置５０と異なり、それ以外の構成については上述の球払出装置５０と同一構成である。そのため、上述の球払出装置５０と共通する構成については同一の符号を付してその説明を省略し、ここでは上述の球払出装置５０と異なる裏セット盤２０への着脱構造について説明する。
【００６４】
図２１に示すように、球払出装置４５０のハウジング部材４５１の上面には、左右に開口した係合溝４９１が設けられている。また、球払出装置４５０が取り付けられる位置の左右に位置する裏セット盤２０の壁面に跨って円柱状の係合ピン４９２が設けられている。
【００６５】
球払出装置４５０の裏セット盤２０への取付けは、まず、球払出装置４５０に設けられた係合溝４９１に裏セット盤２０に設けられた係合ピン４９２を挿入させて、この係合ピン４９２を回転軸として球払出装置４５０の下部を前方に回動させる。そして、球払出装置４５０の下面と下通路部材２５の上面とが近接する位置まで回動させると、球払出装置４５０の受容口５２，払出口５３及び球抜き口５４と、整列待機通路２３ａ，球払出通路２５ａ及び排出通路２５ｂとがそれぞれ位置整合して接続された状態となる。そして、下通路部材２５に設けられた下係止レバーＬ１を上方に回動させて球払出装置４５０に係合させることで、球払出装置４５０が裏セット盤２０に取り付けられる。
【００６６】
以上のように、本実施形態５に係る球払出装置４５０では、上面に設けられた係合溝４９１に裏セット盤２０に設けられた係合ピン４９２を挿入させてこの係合ピン４９２を回転軸として球払出装置４５０の下部を前方に回動させることで、上下及び左右方向に位置決めされる。そして、下係止レバーＬ１を操作して球払出装置４５０に係合させることで、球払出装置４５０の取り外し方向（後方）への回動が規制され、裏セット盤２０への取付けが完了となる。このように球払出装置４５０によれば、裏セット盤２０への取付けが容易であるとともに、各方向への位置決めも確実に行うことができる。また、裏セット盤２０からの取り外しも容易である。なお、上述の実施形態５において、球払出装置４５０又は上下の通路部材２３，２５に、上述の被覆壁を設けるようにしてもよい。
【００６７】
［実施形態６］
次に、実施形態６に係る球払出装置５５０について説明する。この球払出装置５５０は、裏セット盤２０への着脱構造が上述の球払出装置５０と異なり、それ以外の構成については上述の球払出装置５０と同一構成である。そのため、上述の球払出装置５０と共通する構成については同一の符号を付してその説明を省略し、ここでは上述の球払出装置５０と異なる裏セット盤２０への着脱構造について説明する。
【００６８】
図２２に示すように、球払出装置５５０のハウジング部材５５１の上下面には、上下方向に突出したガイドフランジ５９１がそれぞれ設けられている。また、球払出装置４５０が取り付けられる位置の左右に位置する裏セット盤２０の壁面に跨って球払出装置支持部材５９２が上下にそれぞれ設けられおり、各球払出装置支持部材５９２の後面側にガイド溝５９２ａがそれぞれ設けられている。
【００６９】
球払出装置５５０の裏セット盤２０への取付けは、まず、球払出装置５５０を上下の通路部材２３，２５の間に挿入させて前方に移動させる。そして、球払出装置５５０に設けられたガイドフランジ５９１が裏セット盤２０に設けられたガイド溝５９２ａに挿入されると、球払出装置５５０の受容口５２，払出口５３及び球抜き口５４と、整列待機通路２３ａ，球払出通路２５ａ及び排出通路２５ｂとがそれぞれ位置整合して接続された状態となる。そして、下通路部材２５に設けられた下係止レバーＬ１を上方に回動させるとともに、上通路部材２３に設けられた上係止レバーＬ２を下方にスライド移動させて、各係止レバーＬ１，Ｌ２をそれぞれ球払出装置５５０に係合させることで、球払出装置５５０が裏セット盤２０に取り付けられる。
【００７０】
以上のように、本実施形態６に係る球払出装置５５０では、上下面に設けられたガイドフランジ５９１を裏セット盤２０に設けられたガイド溝５９２ａに挿入させるように前方に移動させることで、上下、左右及び前後方向に位置決めされる。そして、上下の係止レバーＬ１，Ｌ２をそれぞれ操作して球払出装置５５０に係合させることで、球払出装置５５０の取り外し方向（後方）への移動が規制され、裏セット盤２０への取付けが完了となる。このように球払出装置５５０によれば、裏セット盤２０への取付けが容易であるとともに、各方向への位置決めも確実に行うことができる。また、裏セット盤２０からの取り外しも容易である。
【００７１】
なお、本発明の実施形態は、上述した実施形態に限定されるものではなく、本発明の要旨を逸脱しない範囲において種々の変更が可能である。例えば、上述の実施形態では、球払出モータ６５を球送り部材６０の側方に配置した構成について説明したが、図２３に示すように、球払出モータ６５を球送り部材６０の前後方向に配置して、球払出装置の左右幅を薄く構成するようにしてもよい。なお、この場合には、モータの回転駆動力を伝達する歯車機構を変更する必要がある。
【００７２】
また、上述の実施形態では、球払出装置の取り外し方向への移動を規制する係止手段として、回動式やスライド式の係止レバーを用いているが、種々の係止手段を用いることができる。また、上述の実施形態において、球払出装置を備えた弾球遊技機としてパチンコ機ＰＭを例に説明しているが、これに限られるものではなく、例えば、雀球遊技機やアレンジボール機等の球払出装置を備えた弾球遊技機であれば、本発明を適用可能である。
【００７３】
＜不正防止構造Ａ＞
続いて、この発明に係るパチンコ機ＰＭが不正防止構造Ａを有した場合の例について説明する。この不正防止構造Ａは、球払出装置を不正に取り外す行為を防止するための構造である。不正防止構造Ａは、上記のいずれの実施形態１〜６に係る球払出装置５０〜５５０又はその他の球払出装置に適用可能であるが、下記においては、実施形態１に係る球払出装置５０を例として説明する。
【００７４】
図２４は、不正防止構造Ａを有したパチンコ機ＰＭを後方から斜めに矢視した後方斜視図である。なお、これ以降の説明においては、上下左右前後方向を図２４に示すように定義し、パチンコ機ＰＭから遊技者に向かう方向を前方、パチンコ機ＰＭに対峙する遊技者から見て右方を右方とする。
【００７５】
不正防止構造Ａを有するパチンコ機ＰＭにおいて、裏セット盤２０は、前枠２の裏面側に取り付けられており、ヒンジ機構３ａ，３ｂによって前枠２と共に外枠１に対し前方に揺動開閉可能とされている。裏セット盤２０の後方には、裏セットカバー２４が配置されている。裏セットカバー２４は、例えば樹脂成形された蓋状部材であって、軸支部２４ａによって裏セット盤２０に対し後方に揺動開閉可能に軸支されている。裏セットカバー２４は、その裏セット盤２０に対する閉鎖状態において、裏セット盤２０の中央窓口を閉鎖する。
【００７６】
軸支部２４ａは、上下に２箇所設けられており、その位置は、裏セット盤２０に取り付けられた球払出装置５０よりも右方にずれている。下側の軸支部２４ａは、球払出装置５０の近くに位置しており、裏セットカバー２４には、その下側の軸支部２４ａの近傍位置に規制部２４ｂが形成されている。
【００７７】
図２５は、裏セットカバー２４、軸支部２４ａ、規制部２４ｂ、及び球払出装置５０の位置関係を説明する模式図である。図２５においては、パチンコ機ＰＭを上方から見ている。裏セットカバー２４は、その左端部近傍に位置する軸支部２４ａを中心に、その右端部側を後方回転させることにより、後方開放する（図２５中矢印Ａ）。逆に、裏セットカバー２４の右端部側を前方回転させて、裏セットカバー２４と裏セット盤２０とが略平行状態となると、裏セットカバー２４の右端部近傍位置に配置された留め具２４ｃにより裏セット盤２０に対して係止させることができ、裏セットカバー２４が閉鎖状態となる。
【００７８】
この裏セットカバー２４の閉鎖状態において、規制部２４ｂが球払出装置５０の後方に位置するようになっている。規制部２４ｂは、例えば裏セットカバー２４と一体形成された突設部であり、球払出装置５０の所定の着脱方向の移動を規制する。このパチンコ機ＰＭにおいては、球払出装置５０の所定の着脱方向が後方であるので、規制部２４ｂは、球払出装置５０の後方移動（図２５中矢印Ｂ）を規制する。
【００７９】
規制部２４ｂが後方位置に存在し、裏セットカバー２４の閉鎖状態においては、たとえ各係止レバーＬ１，Ｌ２を解除したとしても、球払出装置５０の取外しが阻止される。したがって、通常使用状態（裏セットカバー２４の閉鎖状態）において、仮に各係止レバーＬ１，Ｌ２が不正に解除されたとしても、球払出装置５０を裏セット盤２０から取り外すことができず、パチンコホールの不測の不利益が防止される。
【００８０】
なお、図２４及び２５の例では、規制部２４ｂが球払出装置５０の後方に位置する突設部とされているが、例えば、図２６にその模式図を示すように、球払出装置５０側から突設部５０ａが突出しており、裏セットカバー２４側にはその閉鎖状態において突設部５０ａと係合することにより実質的に球払出装置５０の後方移動（図２６中矢印Ｂ）を規制する規制部としての、前方が開口した切欠き部２４ｄが形成されていてもよい。また、図２７にその模式図を示すように、裏セットカバー２４の一部２４ｅが球払出装置５０の後方を覆うような形状とされていて、球払出装置５０の後方移動を規制部としての裏セットカバー２４の一部２４ｅが規制するものであってもよい。これらの規制部２４ｂや裏セットカバー２４の一部２４ｅは、球払出装置５０の後方に位置して、干渉することにより球払出装置５０の後方移動を直接的に規制してもよいが、例えば、規制部２４ｂや裏セットカバー２４の一部２４ｅが各係止レバーＬ１，Ｌ２の少なくとも一方を覆ってその係止レバーの操作を不可能とすることにより、間接的に球払出装置５０の後方移動（図２７中矢印Ｂ）を規制してもよい。
【００８１】
なお、図２４〜図２６の例では、球払出装置５０の所定の着脱方向が後方であるので、規制部が球払出装置５０の後方移動を規制しているが、もちろん、球払出装置５０の着脱方向が左右方向や上下方向である場合には、その着脱方向に応じて、規制部はその着脱方向移動を規制するように配置される必要がある。規制部は、直線的なスライド移動による着脱の場合のみならず、球払出装置５０の一部を軸にして回転しつつ着脱するような場合であっても、その着脱方向の移動を規制すればよい。なお、着脱方向の移動を阻止することにより、球払出装置５０の取外しを阻止する、とは、球払出装置５０の取外し方向の移動が全くできない状態を実現する場合のみならず、整列待機通路２３ａ内の遊技球が落下しない程度に、球払出装置５０の取外し方向への一定の移動が可能である場合も含む。
【００８２】
図２８Ａ，Ｂは、軸支部２４ａの拡大図である。図２８Ａ，Ｂにおいては、上側の軸支部２４ａを図示しているが、下側の軸支部２４ａも同様の構成を有する。裏セットカバー２４は、軸支部２４ａにおいて裏セット盤２０に軸支されている。軸支部２４ａは、裏セットカバー２４側の軸部２４ｆが裏セット盤２０側の軸受部２０ａに上から挿入されることにより構成され、軸受部２０ａ内で軸部２４ｆが回転することにより、裏セットカバー２４の揺動開閉を実現している。
【００８３】
裏セット盤２０側には、軸受部２０ａの上方に、部分的に突出する突部２０ｂが形成されている。この突部２０ｂは、裏セットカバー２４の閉鎖状態で軸部２４ｆの上面２４ｇの上方に位置し、軸部２４ｆの上方移動を規制している。この突部２０ｂと上面２４ｇとがロック構造を構成している。
【００８４】
軸部２４ｆの上方移動が規制されているので、裏セットカバー２４を裏セット盤２０から取り外すことができない。このロック構造による軸部２４ｆの上方移動規制は、裏セットカバー２４の後方開放が所定角度となるまで継続し、その間、裏セットカバー２４の裏セット盤２０からの取外しは阻止される。裏セットカバー２４が裏セット盤２０に軸支されている状態においては、その開閉角度によって規制部２４ｂがいずれの位置に移動したとしても、球払出装置５０の後方に位置し、球払出装置５０の取外しが阻止される。
【００８５】
一方、裏セットカバー２４の後方開放が所定角度以上となると、上面２４ｇが突部２０ｂから外れ、軸部２４ｆの上方移動（図２８Ｂ中矢印Ｃ）が可能となり、裏セットカバー２４の裏セット盤２０からの取外しが可能となる（図２８Ｂ参照）。裏セットカバー２４が取り外されると、規制部２４ｂが球払出装置５０の後方に存在しなくなり、球払出装置５０の取外しが可能となる。
【００８６】
通常使用状態、すなわち、パチンコ機ＰＭが島設備に設置され、ガラス扉５、前枠２、裏セット盤２０が閉鎖した状態においては、裏セットカバー２４の後方開放角度が所定角度未満しか開放しないように設定されていれば、その状態における球払出装置５０の不正な取外しを防止することができる。一方、メンテナンス時等において、ガラス扉５、前枠２、裏セット盤２０等を前方に開放すると、裏セットカバー２４の後方移動可能空間が増大し、所定角度以上の後方開放が可能となる。そうすると、裏セットカバー２４を裏セット盤２０から容易に取り外すことができ、球払出装置５０の取外しも可能となる。通常使用状態における球払出装置５０の不正な取外し防止と、メンテナンス時等における球払出装置５０の簡単な取外しとを両立させることができる。なお、この所定角度は、パチンコ機ＰＭの通常使用状態で裏セットカバー２４を島設備内で後方開放できない程度の角度、例えば、４５°等に設定される。
【００８７】
＜不正防止構造Ｂ＞
続いて、この発明に係るパチンコ機ＰＭが不正防止構造Ｂを有した場合の例について説明する。この不正防止構造Ｂは、球払出装置を不正に取り外す行為を防止するための構造である。不正防止構造Ｂは、上記のいずれの実施形態１〜６に係る球払出装置５０〜５５０又はその他の球払出装置に適用可能であるが、下記においては、実施形態１に係る球払出装置５０を例として説明する。この不正防止構造Ｂを有するパチンコ機ＰＭにおいても、裏セット盤２０は、前枠２の裏面側に取り付けられており、ヒンジ機構３ａ，３ｂによって前枠２と共に外枠１に対し前方に揺動開閉可能とされている。
【００８８】
図２９は、不正防止構造Ｂを有したパチンコ機ＰＭを上方から見た様子を模式的に示した模式平面図である。なお、上下左右前後方向の定義については、上記の不正防止構造Ａの場合と同様である。図３０は、不正防止構造Ｂを有したパチンコ機ＰＭを後方から見た斜視図であって、外枠１に対して前枠２を前方開放した状態を示している。
【００８９】
前枠２は外枠１に対してヒンジ機構３ａ，３ｂによって前方に揺動開閉可能とされている。裏セット盤２０は、前枠２の後方に取り付けられており、前枠２と共に外枠１に対して前方に揺動開閉可能となっている。その前枠２の閉鎖状態（すなわち、裏セット盤２０の閉鎖状態）において、規制構造１８が球払出装置５０の裏セット盤２０からの取外しを阻止し、前枠２の前方開放状態（すなわち、裏セット盤２０の前方開放状態）において、規制構造１８が球払出装置５０の裏セット盤２０からの取外しを許容している。規制構造１８は、係合穴（被係合部）１８ａと突出ピン（係合部）１８ｂとを有して構成されている。
【００９０】
図２９及び図３０に示す例においては、係合穴１８ａは、球払出装置５０の左側面５０ｂに形成された穴である。係合穴１８ａは、規制構造１８を構成すべく新たに形成されてもよいし、球払出装置５０の左側面５０ｂに当初から形成されているネジ取付用の穴等を流用してもよい。
【００９１】
また、この例においては、突出ピン１８ｂは、外枠１の左側面における内面１ａ側に、内方（すなわち、右方向）に突出して設けられている。この突出ピン１８ｂは、前枠２の閉鎖状態においては球払出装置５０の係合穴１８ａにその先端部が挿入され、球払出装置５０の所定の着脱方向（この例においては、後方）移動（図２９中矢印Ｂ）を規制して球払出装置５０の取外しを阻止している。したがって、通常使用状態（すなわち、前枠２の閉鎖状態）では、各係止レバーＬ１，Ｌ２が不正に解除されたとしても、球払出装置５０を取り外すことができない。
【００９２】
一方、メンテナンス時等において、前枠２を外枠１に対して前方開放した場合は、球払出装置５０も前枠２と共に移動し、係合穴１８ａから突出ピン１８ｂが離脱する。そうすると、規制構造１８は、球払出装置５０の後方移動を許容する。つまり、係止レバーＬ１，Ｌ２を解除することにより、球払出装置５０を後方に移動させて取り外すことができる。
【００９３】
なお、球払出装置５０の着脱方向が左右方向や上下方向である場合に、その着脱方向に応じて、規制構造１８がその着脱方向移動を規制するように配置される必要があること、規制構造１８が、直線的なスライド移動による着脱の場合のみならず、球払出装置５０の一部を軸にして回転しつつ着脱するような場合であっても、その着脱方向の移動を規制すればよいこと、着脱方向の移動を阻止することにより、球払出装置５０の取外しを阻止する、とは、球払出装置５０の取外し方向の移動が全くできない状態を実現する場合のみならず、整列待機通路２３ａ内の遊技球が落下しない程度に、球払出装置５０の取外し方向への一定の移動が可能である場合も含むこと、については、上記の不正防止構造Ａの場合と同様である。
【００９４】
また、上記の図２９及び図３０の例においては、球払出装置５０側の係合穴１８ａと外枠１側の突出ピン１８ｂとが規制構造１８を構成しているが、もちろんどちら側に係合穴１８ａが形成され、どちら側に突出ピン１８ｂが突設されても構わない。穴とピンとの組合せに限られず、例えば切欠き部と凸部との組合せ等様々な組合せを考慮することができ、要するに、規制構造１８が、前枠２の閉鎖時に球払出装置５０の着脱方向の移動を規制し、前枠２の前方開放時に球払出装置５０の着脱方向の移動を許容する機能を発揮すればよい。
【００９５】
例えば、図３１に、不正防止構造Ｂの他の例を示す。この例においては、球払出装置５０の左側面５０ｂにおける後方部分に段付き部１８ｃが形成されている。外枠１の左側面における内面１ａには、段付き部１８ｃに対応する位置に、前枠２の閉鎖状態において段付き部１８ｃにオーバーラップするように突条部１８ｄが突設されている。この段付き部１８ｃと突条部１８ｄとが規制構造１８を構成している。
【００９６】
前枠２の閉鎖状態においては、突条部１８ｄの先端が段付き部１８ｃの後方に位置しているので、球払出装置５０の後方移動（図３１中矢印Ｂ）が規制される。しかしながら、前枠２を前方開放すると、突条部１８ｄが段付き部１８ｃの後方から外れるので、球払出装置５０の後方移動が許容される。
【００９７】
なお、上記にて説明したように、球払出装置５０の着脱は、下係止レバーＬ１と上係止レバーＬ２との２つの係止レバーによる球払出装置５０への係合及び係合解除により行われる。したがって、そもそもこれらの係止レバーＬ１，Ｌ２の両方を不正に解除して、球払出装置５０を不正に取り外す行為は、非常に困難なものとされている。更に、上述の不正防止構造Ａ、不正防止構造Ｂ又はそれらの両方を備えることで、球払出装置５０に対する不正行為が、一層有効に防止されている。
【００９８】
以上、本発明の好ましい実施形態やその他の例を説明したが、本発明はこれらに限定されるものではなく、その要旨の範囲内で様々な変形や変更が可能である。
【００９９】
なお、本発明は、以下の趣旨をも含むものである。
【０１００】
［趣旨１］  外郭をなす略方形状の外枠と、
該外枠に対し前方に揺動開閉可能とされた略方形状の前枠と、
該前枠に保持され、入賞口が設けられた遊技領域を有して遊技球の流下による遊技を実現する遊技盤と、
前記前枠に取り付けられて、該前枠と共に前記外枠に対し前方
に揺動開閉可能とされた裏セット盤と、
該裏セット盤に対して所定の着脱方向に沿って取り付けられ、前記入賞口への入賞に基づき遊技球の払出しを行う球払出装置と、
前記裏セット盤が前記外枠に対して閉鎖した状態において、前記球払出装置の前記所定の着脱方向の移動を規制することにより、前記球払出装置の前記裏セット盤からの取外しを阻止し、前記裏セット盤が前記外枠に対して前方に開放した状態において、前記球払出装置の前記裏セット盤からの取外しを許容する規制構造と、を有する遊技機。
【０１０１】
［趣旨２］
前記規制構造が、
前記外枠の一部に設けられた係合部と、
前記球払出装置の一部に設けられ、前記裏セット盤が前記外枠に対して閉鎖した状態において前記係合部と係合し、前記裏セット盤が前記外枠に対して前方開放した状態において、前記係合部との係合が解除される被係合部と、を有する趣旨１に記載の遊技機。
【符号の説明】
【０１０２】
ＰＭ：パチンコ機（弾球遊技機）  Ｌ１：下係止レバー（係止手段）
Ｌ２：上係止レバー（係止手段）  ２０：裏セット盤（枠部材）
２３：上通路部材                        ２３ａ：整列待機通路（球供給通路）
２５：下通路部材                ２５ａ：球払出通路
２５ｂ：排出通路                ５０：球払出装置
５１：ハウジング部材                    ５２：受容口
５３：払出口                    ５５：案内通路
５８：案内リブ                          ５９：球抜き通路
６０：球送り部材                        ６５：球払出モータ
７０：球抜き機構                        ７１：通路壁部材（球抜き部材）
７２：操作部材                          ９１：ガイド溝
９２：位置決め壁                        ９３：被覆壁
１９１：係合突起                        １９２：係合孔
１９３：ガイド壁                   １９５：係止凸部
１９６：係止凹部
１ａ：内面                              １８：規制構造
１８ａ：係合穴（被係合部）              １８ｂ：突出ピン（係合部）
１８ｃ：段付き部                        １８ｄ：突条部
２０ａ：軸受部                  ２０ｂ：突部
２４：裏セットカバー                    ２４ａ：軸支部
２４ｂ：規制部                  ２４ｃ：留め具
２４ｄ：切欠き部（規制部）              ２４ｅ一部（規制部）
２４ｆ：軸部                            ２４ｇ：上面
５０ａ：突設部                  ５０ｂ：左側面
【図１】
0005327912.tif 000002
【図２】
0005327912.tif 000003
【図３】
0005327912.tif 000004
【図４】
0005327912.tif 000005
【図５】
0005327912.tif 000006
【図６】
0005327912.tif 000007
【図７】
0005327912.tif 000008
【図８】
0005327912.tif 000009
【図９】
0005327912.tif 000010
【図１０】
0005327912.tif 000011
【図１１】
0005327912.tif 000012
【図１２】
0005327912.tif 000013
【図１３】
0005327912.tif 000014
【図１４】
0005327912.tif 000015
【図１５】
0005327912.tif 000016
【図１６】
0005327912.tif 000017
【図１７】
0005327912.tif 000018
【図１８】
0005327912.tif 000019
【図１９】
0005327912.tif 000020
【図２０】
0005327912.tif 000021
【図２１】
0005327912.tif 000022
【図２２】
0005327912.tif 000023
【図２３】
0005327912.tif 000024
【図２４】
0005327912.tif 000025
【図２５】
0005327912.tif 000026
【図２６】
0005327912.tif 000027
【図２７】
0005327912.tif 000028
【図２８Ａ】
0005327912.tif 000029
【図２８Ｂ】
0005327912.tif 000030
【図２９】
0005327912.tif 000031
【図３０】
0005327912.tif 000032
【図３１】
0005327912.tif 000033